【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
少なくとも記録媒体の種類情報と書き込み速度情報、及び記録領域を有する記録媒体を接続する媒体接続部と、
前記媒体接続部に接続された記録媒体に保存された前記種類情報、前記書き込み速度情報、及び記録領域に設定されているファイシステムを取得する取得手段と、
前記取得手段で取得した種類情報に基づき前記記録媒体に設定すべきファイルシステムを判定する判定手段と、
前記取得手段で取得したファイルシステムと前記判定手段で判定したファイルシステムとを比較する比較手段と、
前記比較手段による比較の結果に差異がある場合に、前記取得手段で取得した前記書き込み速度情報を無効にする制御手段とを有することを特徴とする情報処理装置。
【請求項２】
前記比較手段による比較の結果に差異がある場合に、書き込み速度情報として情報無し、あるいは前記取得手段により取得した書き込み速度情報より遅い速度情報を外部機器に送信し、前記比較手段による比較の結果に差異がない場合は、前記取得手段にて取得した前記書き込み速度情報を外部装置に送信する通信手段を有することを特徴とする請求項１に記載の情報処理装置。
【請求項３】
前記種類情報には容量情報を含むことを特徴とする請求項１又は２に記載の情報処理装置。
【請求項４】
前記記録媒体がＳＤ規格の媒体である場合、前記判定手段は、前記記録媒体に設定すべきファイルシステムとしてＦＡＴ１６を含むことを特徴とする請求項１乃至３の何れか１項に記載の情報処理装置。
【請求項５】
前記記録媒体がＳＤＨＣ規格の媒体である場合、前記判定手段は、前記記録媒体に設定すべきファイルシステムとしてＦＡＴ３２を含むことを特徴とする請求項１乃至４の何れか１項に記載の情報処理装置。
【請求項６】
前記記録媒体がＳＤ規格又はＳＤＨＣ規格の媒体ではない場合、前記判定手段は、前記記録媒体に設定すべきファイルシステムとしてｅｘＦＡＴを含むことを特徴とする請求項１乃至５の何れか１項に記載の情報処理装置。
【請求項７】
撮像手段と、
前記撮像手段より出力される画像データを前記記録媒体に記録する記録手段とを更に有することを特徴とする請求項１乃至６の何れか１項に記載の情報処理装置。
【請求項８】
前記比較手段による比較の結果に差異がある場合であって、且つ、前記取得手段により取得された前記書き込み速度情報に示される速度が外部装置からの情報の転送速度を上回っている場合に、前記記録媒体を前記判定手段が判定したファイルシステムにフォーマットすることを案内するガイド情報を生成する生成手段とを更に有することを特徴とする請求項１乃至７の何れか１項に記載の情報処理装置。
【請求項９】
記録媒体に対する最低限の情報の書き込み速度を示す速度情報を取得する第１の取得手段と、
前記記録媒体のファイルシステムを示すファイルシステム情報を取得する第２の取得手段と、
前記記録媒体の種類に対応するファイルシステム情報を選択する選択手段と、
前記第２の取得手段により取得されたファイルシステム情報と前記選択手段により選択されたファイルシステム情報とに差異があるか否かを判定する第１の判定手段と、
前記第１の判定手段により差異があると判定された場合、前記第１の取得手段により取得された前記速度情報に示される速度が、前記記録媒体を装着する外部装置に対する情報の転送速度を上回っているか否かを判定する第２の判定手段と、
前記第２の判定手段により、前記第１の取得手段により取得された速度情報に示される速度が、前記記録媒体を装着する外部装置に対する情報の転送速度を上回っていると判定された場合、前記選択手段で選択されたファイルシステム情報に示されるファイルシステムに前記記録媒体をフォーマットすることを案内するガイド情報を生成する生成手段とを有することを特徴とする情報処理装置。
【請求項１０】
少なくとも記録媒体の種類情報と書き込み速度情報、及び記録領域を有する記録媒体を接続する媒体接続部を備える情報処理装置の制御方法であって、
前記媒体接続部に接続された記録媒体に保存された前記種類情報、前記書き込み速度情報、及び記録領域に設定されているファイシステムを取得する取得ステップと、
前記取得ステップで取得した種類情報に基づき前記記録媒体に設定すべきファイルシステムを判定する判定ステップと、
前記取得ステップで取得したファイルシステムと前記判定ステップで判定したファイルシステムとを比較する比較ステップと、
前記比較ステップによる比較の結果に差異がある場合に、前記取得ステップで取得した前記書き込み速度情報を無効にする制御ステップとを有することを特徴とする情報処理装置の制御方法。
【請求項１１】
記録媒体に対する最低限の情報の書き込み速度を示す速度情報を取得する第１の取得ステップと、
前記記録媒体のファイルシステムを示すファイルシステム情報を取得する第２の取得ステップと、
前記記録媒体の種類に対応するファイルシステム情報を選択する選択ステップと、
前記第２の取得ステップにより取得されたファイルシステム情報と前記選択ステップにより選択されたファイルシステム情報とに差異があるか否かを判定する第１の判定ステップと、
前記第１の判定ステップにより差異があると判定された場合、前記第１の取得ステップにより取得された前記速度情報に示される速度が、前記記録媒体を装着する外部装置に対する情報の転送速度を上回っているか否かを判定する第２の判定ステップと、
前記第２の判定ステップにより、前記第１の取得ステップにより取得された速度情報に示される速度が、前記記録媒体を装着する外部装置に対する情報の転送速度を上回っていると判定された場合、前記選択ステップで選択されたファイルシステム情報に示されるファイルシステムに前記記録媒体をフォーマットすることを案内するガイド情報を生成する生成ステップとを有することを特徴とする情報処理装置の制御方法。
【請求項１２】
少なくとも記録媒体の種類情報と書き込み速度情報、及び記録領域を有する記録媒体を接続する媒体接続部を備える情報処理装置の制御方法をコンピュータに実行させるためのプログラムであって、
前記媒体接続部に接続された記録媒体に保存された前記種類情報、前記書き込み速度情報、及び記録領域に設定されているファイシステムを取得する取得ステップと、
前記取得ステップで取得した種類情報に基づき前記記録媒体に設定すべきファイルシステムを判定する判定ステップと、
前記取得ステップで取得したファイルシステムと前記判定ステップで判定したファイルシステムとを比較する比較ステップと、
前記比較ステップによる比較の結果に差異がある場合に、前記取得ステップで取得した前記書き込み速度情報を無効にする制御ステップとをコンピュータに実行させるためのプログラム。
【請求項１３】
記録媒体に対する最低限の情報の書き込み速度を示す速度情報を取得する第１の取得ステップと、
前記記録媒体のファイルシステムを示すファイルシステム情報を取得する第２の取得ステップと、
前記記録媒体の種類に対応するファイルシステム情報を選択する選択ステップと、
前記第２の取得ステップにより取得されたファイルシステム情報と前記選択ステップにより選択されたファイルシステム情報とに差異があるか否かを判定する第１の判定ステップと、
前記第１の判定ステップにより差異があると判定された場合、前記第１の取得ステップにより取得された前記速度情報に示される速度が、前記記録媒体を装着する外部装置に対する情報の転送速度を上回っているか否かを判定する第２の判定ステップと、
前記第２の判定ステップにより、前記第１の取得ステップにより取得された速度情報に示される速度が、前記記録媒体を装着する外部装置に対する情報の転送速度を上回っていると判定された場合、前記選択ステップで選択されたファイルシステム情報に示されるファイルシステムに前記記録媒体をフォーマットすることを案内するガイド情報を生成する生成ステップとをコンピュータに実行させるためのプログラム。
【手続補正２】
【補正対象書類名】明細書
【補正対象項目名】発明の名称
【補正方法】変更
【補正の内容】
【発明の名称】情報処理装置、その制御方法及びプログラム
【手続補正３】
【補正対象書類名】明細書
【補正対象項目名】００１０
【補正方法】変更
【補正の内容】
【００１０】
本発明の情報処理装置は、少なくとも記録媒体の種類情報と書き込み速度情報、及び記録領域を有する記録媒体を接続する媒体接続部と、前記媒体接続部に接続された記録媒体に保存された前記種類情報、前記書き込み速度情報、及び記録領域に設定されているファイシステムを取得する取得手段と、前記取得手段で取得した種類情報に基づき前記記録媒体に設定すべきファイルシステムを判定する判定手段と、前記取得手段で取得したファイルシステムと前記判定手段で判定したファイルシステムとを比較する比較手段と、前記比較手段による比較の結果に差異がある場合に、前記取得手段で取得した前記書き込み速度情報を無効にする制御手段とを有することを特徴とする。